(57)【要約】      （修正有）【課題】田畑の畝を覆うビニールに孔を形成するためのビニール孔形成具を提供する。【解決手段】田畑の畝を覆うビニールに孔を形成するためのものであって、先端開口縁に刃体２ａを設けた筒状本体２内に、この筒状本体２を前記畝に差し込んだ際、前記刃体２ａにより切断されて形成されるビニール片に刺入係止する刺入係止体３を有し、この刺入係止体３は、筒状本体２に着脱自在に設けられるとともに、筒状本体２の後端開口部２ｂから取出し自在に設けられたものである。【選択図】図３
0003161852.tif 000002
【実用新案登録請求の範囲】
【請求項１】
田畑の畝を覆うビニールに孔を形成するためのものであって、先端開口縁に刃体を設けた筒状本体内に、この筒状本体を前記畝に差し込んだ際、前記刃体により切断されて形成されるビニール片に刺入係止する刺入係止体を有し、この刺入係止体は、前記筒状本体に着脱自在に設けられるとともに、前記筒状本体の後端開口部から取出し自在に設けられていることを特徴とするビニール孔形成具。
【請求項２】
請求項１記載のビニール孔形成具において、前記筒状本体の後端部には握持部が設けられ、この握持部に着脱自在となる取付部が前記刺入係止体の後端部に設けられていることを特徴とするビニール孔形成具。
【請求項３】
請求項２記載のビニール孔形成具において、前記握持部は、前記筒状本体の後端開口部の対向位置同士間に後方に突出状態で架設される架設体で構成され、また、前記刺入係止体の取付部は前記握持部に挟持連結されるものであることを特徴とするビニール孔形成具。
【請求項４】
請求項２，３いずれか１項に記載のビニール孔形成具において、前記握持部は、前記筒状本体の後端開口部の対向位置に設けられ後方に突出する縦材とこの縦材間に架設される横材とで構成され、また、前記刺入係止体の取付部は、前記横材に挟持連結されるものであることを特徴とするビニール孔形成具。
【請求項５】
請求項２〜４いずれか１項に記載のビニール孔形成具において、前記取付部は前記握持部に対して弾性作用を伴い挟持連結する構造であることを特徴とするビニール孔形成具。
【請求項６】
請求項２〜５いずれか１項に記載のビニール孔形成具において、前記取付部は金属製の板材を折り返して形成し、前記握持部に対して弾性作用を伴い挟持連結する構造であることを特徴とするビニール孔形成具。
【考案の詳細な説明】
【技術分野】
【０００１】
本考案は、田畑の畝を覆うビニールに孔を形成するためのビニール孔形成具に関するものである。
【背景技術】
【０００２】
従来から、田畑の畝を覆うビニールに孔を形成するためのもので、例えば実用新案登録第３１２４７７３号に開示されるようなビニール孔形成具（以下、従来例）が提案されている。
【０００３】
この従来例は、後端に握持部を設けた筒状本体の先端開口縁に刃体を設けたもので、握持部を握持して筒状本体を畝に差し込むことで畝を覆うビニールに孔を形成することができ、更に、筒状本体を深く差し込んだ場合には土も取り出すことができる（畝に根付け穴を形成することができる。）。
【先行技術文献】
【特許文献】
【０００４】
【特許文献１】実用新案登録第３１２４７７３号公報
【考案の概要】
【考案が解決しようとする課題】
【０００５】
ところで、このビニール孔を形成するため、筒状本体を畝に差し込むと、畝を覆うビニールは刃体により切断されて円形のビニール片が形成されるが、このビニール片は、筒状本体を畝から引き抜いた後、土とともに排出され、この際、風で吹き飛ばされてしまう場合がある。
【０００６】
そこで、従来例には、筒状本体内にビニール片に刺入係止する刺入係止体が設けられており、筒状本体内の土を排出してもビニール片は刺入係止体により筒状本体内に保持される。
【０００７】
ところが、この刺入係止体に係止されたビニール片を除去する際、この刺入係止体は勿論、筒状本体の先端開口縁には鋭利な刃体がある為、この刃体の近くに手を配してビニール片を取るのは危険である（筒状本体の径は、それ程、大きくはない為、手が刃体に当たってしまう。）。棒やトングなどを使ってビニール片を除去することも可能であるが面倒であり、実際は素早く除去したいことから直接手で取るようにしているのが現状である。
【０００８】
また、従来例は、前述したようにビニール片が取りづらいにもかかわらず、急いでビニール片を除去しようとすると綺麗に除去することができず、よって、次に根付け穴を形成する際に刺入係止体にビニール片の一部が残っていた場合には、刺入係止体が畝を覆うビニールに良好に刺さらない若しくは刺さりにくくて作業性が悪くなるという問題点もある。
【０００９】
本考案者は、前述した問題点に着目し、種々の研究を繰り返し行った結果、非常に便利で従来にない作用効果を発揮する画期的なビニール孔形成具を考案した。
【課題を解決するための手段】
【００１０】
添付図面を参照して本考案の要旨を説明する。
【００１１】
田畑の畝20を覆うビニール１に孔１ｂを形成するためのものであって、先端開口縁に刃体２ａを設けた筒状本体２内に、この筒状本体２を前記畝20に差し込んだ際、前記刃体２ａにより切断されて形成されるビニール片１ａに刺入係止する刺入係止体３を有し、この刺入係止体３は、前記筒状本体２に着脱自在に設けられるとともに、前記筒状本体２の後端開口部２ｂから取出し自在に設けられていることを特徴とするビニール孔形成具に係るものである。
【００１２】
また、請求項１記載のビニール孔形成具において、前記筒状本体２の後端部には握持部４が設けられ、この握持部４に着脱自在となる取付部５が前記刺入係止体３の後端部に設けられていることを特徴とするビニール孔形成具に係るものである。
【００１３】
また、請求項２記載のビニール孔形成具において、前記握持部４は、前記筒状本体２の後端開口部２ｂの対向位置同士間に後方に突出状態で架設される架設体で構成され、また、前記刺入係止体３の取付部５は前記握持部４に挟持連結されるものであることを特徴とするビニール孔形成具に係るものである。
【００１４】
また、請求項２，３いずれか１項に記載のビニール孔形成具において、前記握持部４は、前記筒状本体２の後端開口部２ｂの対向位置に設けられ後方に突出する縦材４Ａとこの縦材４Ａ間に架設される横材４Ｂとで構成され、また、前記刺入係止体３の取付部５は、前記横材４Ｂに挟持連結されるものであることを特徴とするビニール孔形成具に係るものである。
【００１５】
また、請求項２〜４いずれか１項に記載のビニール孔形成具において、前記取付部５は前記握持部４に対して弾性作用を伴い挟持連結する構造であることを特徴とするビニール孔形成具に係るものである。
【００１６】
また、請求項２〜５いずれか１項に記載のビニール孔形成具において、前記取付部５は金属製の板材を折り返して形成し、前記握持部４に対して弾性作用を伴い挟持連結する構造であることを特徴とするビニール孔形成具に係るものである。
【考案の効果】
【００１７】
本考案は上述のように構成したから、前述した従来例と異なり、刺入係止体で係止されたビニール片を安全に除去することができ、しかも、ビニール片を簡易且つ良好に除去することができて綺麗に除去できるから、例えばビニール片の一部が残っていることで生じる刺入係止体の刺入機能の低下も可及的に防止できるなど従来にない作用効果を発揮する画期的なビニール孔形成具となる。
【００１８】
また、請求項２記載の考案においては、筒状本体に設けられる握持部を持って力強く確実に刺入係止体をビニール片に刺入させることができるなど従来にない作用効果を発揮する画期的なビニール孔形成具となる。
【００１９】
また、請求項３，４記載の考案においては、筒状本体に対する刺入係止体の着脱が簡易且つ迅速に行え、この点においても作業性が良好となるなど従来にない作用効果を発揮する画期的なビニール孔形成具となる。
【００２０】
また、請求項５記載の考案においては、握持部に対する取付部の挟持状態が不意に解除されたりせず非常に使い勝手が良いなど従来にない作用効果を発揮する画期的なビニール孔形成具となる。
【００２１】
また、請求項６記載の考案においては、前述した作用効果を簡易構造で確実に達成し得るなど従来にない作用効果を発揮する画期的なビニール孔形成具となる。
【図面の簡単な説明】
【００２２】
【図１】本実施例の使用状態説明図である。
【図２】本実施例を示す斜視図である。
【図３】本実施例を示す分解斜視図である。
【図４】本実施例に係る要部の説明断面図である。
【図５】本実施例に係る要部の説明断面図である。
【図６】本実施例に係る要部の動作説明図である。
【図７】本実施例に係る要部の動作説明図である。
【図８】本実施例に係る要部の動作説明図である。
【図９】本実施例に係る要部の動作説明図である。
【図１０】本実施例に係る要部の動作説明図である。
【図１１】本実施例に係る要部の動作説明図である。
【図１２】本実施例に係る要部の動作説明図である。
【考案を実施するための形態】
【００２３】
好適と考える本考案の実施形態を、図面に基づいて本考案の作用を示して簡単に説明する。
【００２４】
筒状本体２を畝20に差し込んで引き抜く。この際、畝20を覆うビニール１には孔１ｂが形成される。尚、土を筒状本体２とともに取り出せば、畝20には根付け穴20ａが形成される。
【００２５】
この筒状本体２を畝20に差し込んだ際、筒状本体２の刃体２ａで切断されたビニール片１ａには刺入係止体３が刺入され、畝20から筒状本体２を引き抜いた際には刺入係止体３にはビニール片１ａが係止されており、例えば、畝20を覆うビニール１に連続して複数の孔１ｂを形成した場合、刺入係止体３には複数のビニール片１ａが係止される。
【００２６】
この刺入係止体３に係止されたビニール片１ａを除去する場合、刺入係止体３を筒状本体２から取り外すとともに、筒状本体２の後端開口部２ｂから取り出してビニール片１ａを除去する。
【００２７】
従って、前述した従来例と異なり、ビニール片１ａを除去する際に筒状本体２の刃体２ａの近くに手を配する必要がなく安全に除去することができ、しかも、ビニール片１ａを簡易且つ良好に除去することができて綺麗に除去できるから、例えばビニール片１ａの一部が残っていることで生じる刺入係止体３の刺入機能の低下も可及的に防止できることになる。
【実施例】
【００２８】
本考案の具体的な一実施例について図面に基づいて説明する。
【００２９】
本実施例は、田畑の畝20を覆うビニール１に孔１ｂを形成するためのものであって、先端開口縁に刃体２ａを設けた筒状本体２内に、この筒状本体２を畝20に差し込んだ際、刃体２ａにより切断されて形成されるビニール片１ａに刺入係止する刺入係止体３を有するものである。
【００３０】
筒状本体２は、図２〜５に図示したように適宜な金属製（ステンレス製）の板材を曲げ加工により円筒状に形成したものであり、その径は畝を覆うビニール１に形成する孔１ｂ及び畝20に形成する根付け穴20ａを考慮して適宜設定されている。尚、筒状本体２は成形品でも良く、また、合成樹脂製でも良い。
【００３１】
また、筒状本体２の先端開口縁は、山部と谷部とが交互に連続する波形状（ギザギザ形状）に形成されており、各山部が先鋭の刃体２ａとして構成されている。
【００３２】
また、筒状本体２の後端部には握持部４が設けられている。
【００３３】
この握持部４は、図２〜５に図示したように筒状本体２の後端開口部２ｂの対向位置同士間に後方に突出状態で架設されるコ字状の架設体４で構成されている。
【００３４】
具体的には、架設体４は、適宜な金属製（ステンレス製）の板材を折曲形成したものであり、筒状本体２の後端開口縁の対向位置に溶接され後方に突出する左右の縦材４Ａと、この縦材４Ａ同士の間に横設される横材４Ｂとで構成され、この横材４Ｂは、握持する部位として機能する他、後述する刺入係止体３を連結する部位として機能する。尚、握持部４は筒状本体２と一体成形しても良く、また、合成樹脂製でも良い。符号４ａは架設体４（縦材４Ａ及び横材４Ｂ）の表面にプレスにより突出形成される凸条からなる補強リブである。
【００３５】
刺入係止体３は、筒状本体２に着脱自在に設けられるとともに、筒状本体２の後端開口部２ｂから取出し自在に設けられている。
【００３６】
具体的には、この刺入係止体３は、図２〜５に図示したように適宜な金属製（ステンレス製）の部材で形成したものであり、所定間隔を介して並設される一対の棒状体３ａ夫々の先端部に先鋭の刺入部３ｂを設けたものである。尚、棒状体３ａの数は単数でも複数でも良いが、複数設けた方が畝20を覆うビニール１に安定して良好に刺入される。
【００３７】
この刺入部３ｂは、正面視三角形状の板状体であり、この板状体の角が先端に位置するように底辺が棒状体３ａに連設されており、この棒状体３ａとの連設部位は該棒状体３ａの径よりも巾広に設定されて係止部３ｂ’が形成されている。
【００３８】
従って、刺入部３ｂを畝20を覆うビニール１に刺入（貫通）させた際、棒状体３ａから抜けようとしてもビニール片１ａは係止部３ｂ’に係止する。
【００３９】
また、刺入係止体３（棒状体３ａ）の後端部には握持部４に着脱自在となる取付部５が設けられている。
【００４０】
具体的には、取付部５は、図２〜５に図示したように適宜な金属製（ステンレス製）の板材をコ字状に折り返し形成したものであり、前述した握持部４に係る架設体４（横材４Ｂ）に対して挟持連結する構造である。
【００４１】
この取付部５は、架設体４に対して弾性作用を伴い挟持連結する構造である。即ち、架設体４に対して挟持した際の弾性作用は、取付部５の形状設定により発揮されるように構成されている。
【００４２】
また、取付部５は、握持部４に挟持連結した際、握持部４に設けた補強リブ４ａに狭小部が挟み込み係止するように構成されており、即ち、補強リブ４ａは取付部５から握持部４が不意に抜け脱するのを阻止するストッパーとしての機能も発揮される。
【００４３】
以上の構成から成る筒状本体２に対する刺入係止体３を装着する場合、握持部４を避けるようにして筒状本体２の後端開口部２ｂから刺入係止体３を斜め状態で筒状本体２内に配し、握持部４に係る横材４Ｂに取付部５を側方から挟持させて連結する。尚、筒状本体２から刺入係止体３を取り外す際は逆の動作を行う。
【００４４】
本実施例は上述のように構成したから、図６〜図８に図示したように筒状本体２を畝20に差し込んで引き抜く。この際、畝20を覆うビニール１には孔１ｂが形成されるとともに、土を筒状本体２とともに取り出せば、畝20には根付け穴20ａが形成される。この根付け穴20ａは畝20に種を撒く場合には埋め戻される。
【００４５】
この筒状本体２を畝20に差し込んだ際、筒状本体２の刃体２ａで切断されたビニール片１ａには刺入係止体３が刺入され、畝20から筒状本体２を引き抜いた際には刺入係止体３にはビニール片１ａが係止されており（図８参照）、例えば、畝20を覆うビニール１に連続して複数の孔１ｂを形成した場合、刺入係止体３には複数のビニール片１ａが係止される（図９，10参照）。
【００４６】
この刺入係止体３に係止されたビニール片１ａを除去する場合、刺入係止体３を筒状本体２から取り外すとともに、筒状本体２の後端開口部２ｂから取り出してビニール片１ａを除去する（図11，12参照）。
【００４７】
よって、本実施例によれば、前述した従来例と異なり、ビニール片１ａを除去する際に筒状本体２の刃体２ａの近くに手を配する必要がなく安全に除去することができ、しかも、ビニール片１ａを簡易且つ良好に除去することができて綺麗に除去できるから、例えばビニール片１ａの一部が残っていることで生じる刺入係止体３の刺入機能の低下も可及的に防止できることになる。
【００４８】
また、本実施例は、筒状本体２の後端部には握持部４が設けられ、この握持部４に着脱自在となる取付部５が刺入係止体３の後端部に設けられているから、筒状本体２に設けられる握持部４を持って力強く確実に刺入係止体３をビニール片１ａに刺入させることができる。
【００４９】
また、本実施例は、握持部４は、筒状本体２の後端開口部２ｂの対向位置同士間に後方に突出状態で架設される架設体で構成され、また、刺入係止体３の取付部５は前記握持部４に挟持連結されるものであり、具体的には、握持部４は、筒状本体２の後端開口部２ｂの対向位置に設けられ後方に突出する縦材４Ａとこの縦材４Ａ間に架設される横材４Ｂとで構成され、また、刺入係止体３の取付部５は、横材４Ｂに挟持連結されるものであるから、握持部４は握り易く、しかも、筒状本体２に対する刺入係止体３の着脱が簡易且つ迅速に行え、この点においても作業性が良好となる。即ち、筒状本体２の後端開口部２ｂから後方へ突出する大きな握持部４は非常に持ち易く、しかも、この握持部４を構成する架設体４は筒状本体２の後端開口部２ｂの対向位置に連設される構造であり、つまり、刺入係止体３の脱着に際して、刺入係止体３及び該刺入係止体３に係止したビニール片１ａを通過させるための大きなスペースが確保されることになる為、筒状本体２に対する刺入係止体３の着脱が簡易且つ迅速に行えることになる。
【００５０】
また、本実施例は、取付部５は架設体４に対して弾性作用を伴い挟持連結する構造であり、しかも、この取付部５は金属製の板材を折り返し形成しただけの構造であるから、架設体４に対する取付部の挟持状態が不意に解除されたりせず非常に使い勝手が良いことになる。
【００５１】
尚、本考案は、本実施例に限られるものではなく、各構成要件の具体的構成は適宜設計し得るものである。
【符号の説明】
【００５２】
１  ビニール
１ａ  ビニール片
１ｂ  孔
２  筒状本体
２ａ  刃体
２ｂ  後端開口部
３  刺入係止体
４  握持部
４Ａ  縦材
４Ｂ  横材
５  取付部
20  畝
【図１】
0003161852.tif 000003
【図２】
0003161852.tif 000004
【図３】
0003161852.tif 000005
【図４】
0003161852.tif 000006
【図５】
0003161852.tif 000007
【図６】
0003161852.tif 000008
【図７】
0003161852.tif 000009
【図８】
0003161852.tif 000010
【図９】
0003161852.tif 000011
【図１０】
0003161852.tif 000012
【図１１】
0003161852.tif 000013
【図１２】
0003161852.tif 000014